【手続補正書】
【提出日】平成29年11月20日(2017.11.20)
【手続補正１】
【補正対象書類名】特許請求の範囲
【補正対象項目名】全文
【補正方法】変更
【補正の内容】
【特許請求の範囲】
【請求項１】
血管内デバイスを組み立てる方法であって、
複数の導体及びコア部材の周囲に管状部材を配置するステップであり、前記複数の導体及び前記コア部材が少なくとも部分的に前記管状部材の内腔内に配置され、前記管状部材が、前記内腔と連通する、前記管状部材の長さに沿って延在する開口部を含み、前記管状部材の第１部分が第１の直径を有し、前記管状部材の第２部分が前記第１の直径よりも小さい第２の直径を有する、ステップと、
前記管状部材の周囲に第１の導電部材を配置するステップと、
前記複数の導体のうちの第１の導体を、前記管状部材の前記開口部内の、前記管状部材と前記第１の導電部材との間において長手方向に、前記第１の導電部材に隣接する位置へと進めるステップと、
前記複数の導体のうちの前記第１の導体を前記第１の導電部材に電気的に結合するステップと、
第１の絶縁部材を、前記管状部材の周囲に、前記第１の導電部材に隣接して配置するステップであって、前記第１の絶縁部材は、第１の外部表面と、前記第１の外部表面から半径方向に延出する第１の複数の突起とを含む、ステップと、
第２の導電部材を、前記管状部材の周囲に、前記第１の絶縁部材に隣接して配置するステップであって、前記第１の絶縁部材が前記第１の導電部材と前記第２の導電部材との間に配置される、ステップと、
前記複数の導体のうちの第２の導体を前記第２の導電部材に電気的に結合するステップと、
を含む、方法。
【請求項２】
前記複数の導体のうちの前記第２の導体を、前記管状部材の前記開口部内の、前記管状部材と前記第２の導電部材との間において長手方向に、前記第２の導電部材に隣接する位置へと進めるステップを更に含む、請求項１に記載の方法。
【請求項３】
第２の絶縁部材を、前記管状部材の周囲に、前記第２の導電部材に隣接して配置するステップであって、前記第２の絶縁部材は、第２の外部表面と、前記第２の外部表面から半径方向に延出する第２の複数の突起とを含む、ステップと、
第３の導電部材を、前記管状部材の周囲に、前記第２の絶縁部材に隣接して配置するステップであって、前記第２の絶縁部材が前記第２の導電部材と前記第３の導電部材との間に配置される、ステップと、
前記複数の導体のうちの第３の導体を前記第３の導電部材に電気的に結合するステップと、
を更に含む、請求項１に記載の方法。
【請求項４】
前記複数の導体のうちの前記第１の導体を進めるステップが、前記複数の導体のうちの前記第１の導体の一部を前記管状部材の外部表面の周囲に巻き付けるステップを含む、請求項１に記載の方法。
【請求項５】
前記複数の導体のうちの前記第１の導体が、前記外部表面の、前記管状部材の前記開口部と反対側の部分に隣接する前記第１の導電部材に電気的に結合されている、請求項４に記載の方法。
【請求項６】
前記複数の導体のうちの前記第１の導体を前記第１の導電部材に電気的に結合するステップがはんだ付けを含む、請求項５に記載の方法。
【請求項７】
前記開口部が前記管状部材の長さ全体に沿って延在する、請求項１に記載の方法。
【請求項８】
前記開口部が前記管状部材の前記長さの一部のみに沿って延在する、請求項１に記載の方法。
【請求項９】
前記第１の導電部材を前記管状部材の周囲に配置するステップが、前記第１の導電部材を前記管状部材の前記第２部分の周囲に配置するステップを含む、請求項１に記載の方法。
【請求項１０】
前記開口部が前記管状部材の前記第２部分に沿って延在する、請求項９に記載の方法。
【請求項１１】
血管内デバイスを組み立てる方法であって、
複数の導体及びコア部材の周囲に第１の管状部材を配置するステップであり、前記複数の導体及び前記コア部材が少なくとも部分的に前記第１の管状部材の内腔内に配置され、前記第１の管状部材が、前記内腔と連通する、前記第１の管状部材の長さに沿って延在する開口部を含む、ステップと、
前記第１の管状部材の周囲に第１の導電部材を配置するステップと、
前記複数の導体のうちの第１の導体を、前記第１の管状部材の前記開口部内の、前記第１の管状部材と前記第１の導電部材との間において長手方向に、前記第１の導電部材に隣接する位置へと進めるステップと、
前記複数の導体のうちの前記第１の導体を前記第１の導電部材に電気的に結合するステップと、
第２の管状部材を、前記複数の導体のうちの前記第１の導体を除いた前記複数の導体及び前記コア部材の周囲に配置するステップであって、前記複数の導体のうちの前記第１の導体を除いた前記複数の導体及び前記コア部材が少なくとも部分的に前記第２の管状部材の内腔内に配置され、前記第２の管状部材の第１部分が第１の直径を有し、前記第２の管状部材の第２部分が前記第１の直径よりも小さい第２の直径を有し、前記第２の管状部材の第３部分が前記第１の直径よりも小さい第３の直径を有する、ステップと、
を含む、方法。
【請求項１２】
前記第２の管状部材が、前記複数の導体のうちの前記第１の導体を除いた前記複数の導体及び前記コア部材の周囲に配置され、前記第２の管状部材の前記第３部分が少なくとも部分的に前記第１の導電部材内に配置される、請求項１１に記載の方法。
【請求項１３】
第２の導電部材を前記第２の管状部材の前記第２部分の周囲に配置するステップを更に含み、前記第２の管状部材の前記第１部分が前記第１の導電部材と前記第２の導電部材との間に配置される、請求項１１に記載の方法。
【請求項１４】
前記複数の導体のうちの第２の導体を前記第２の導電部材に電気的に結合するステップを更に含む、請求項１３に記載の方法。
【請求項１５】
前記複数の導体のうちの前記第２の導体を、前記第２の管状部材の前記内腔と連通する、前記第２の管状部材の長さに沿って延在する開口部内の、前記第２の管状部材と前記第２の導電部材との間において長手方向に、前記第２の導電部材に隣接する位置へと進めるステップを更に含む、請求項１４に記載の方法。
【請求項１６】
複数の導体及びコア部材の周囲に配置されている第１の管状部材であって、前記複数の導体及び前記コア部材が少なくとも部分的に前記管状部材の内腔内に配置されるように配置されている、第１の管状部材と、
前記第１の管状部材の周囲に配置されている第１の導電部材であって、前記複数の導体のうちの第１の導体が前記第１の導電部材に電気的に結合され、前記第１の管状部材と前記第１の導電部材との間において、前記第１の導電部材に隣接する位置へと長手方向に延在する、第１の導電部材と、
前記第１の導電部材に隣接して配置された第１の絶縁部材と、
前記第１の絶縁部材に隣接して配置された第２の導電部材であって、前記第１の絶縁部材が前記第１の導電部材と前記第２の導電部材との間に配置され、前記複数の導体のうちの第２の導体が前記第２の導電部材に電気的に結合されている、第２の導電部材と、
を含む、血管内デバイスであって、
前記複数の導体のうちの前記第２の導体が、第２の管状部材と前記第２の導電部材との間において長手方向に、前記第２の導電部材に隣接する位置へと延在する、血管内デバイス。
【請求項１７】
前記第１の管状部材と前記第２の管状部材との間に第１の開口部が画定されるように、前記第２の管状部材が前記第１の管状部材の基端側に配置され、前記複数の導体のうちの前記第１の導体が前記第１の開口部内に延在する、請求項１６に記載の血管内デバイス。
【請求項１８】
前記第１の開口部が前記第１の導電部材の中点の近傍に配置されている、請求項１７に記載の血管内デバイス。
【請求項１９】
前記第２の管状部材の周囲に、前記第２の導電部材に隣接して配置されている第２の絶縁部材を更に含む、請求項１６に記載の血管内デバイス。
【請求項２０】
前記第２の管状部材の周囲に、前記第２の絶縁部材に隣接して配置されている第３の導電部材を更に含み、前記第２の絶縁部材が前記第２の導電部材と前記第３の導電部材との間に配置されている、請求項１９に記載の血管内デバイス。
【請求項２１】
前記複数の導体のうちの第３の導体が前記第３の導電部材に電気的に結合されている、請求項２０に記載の血管内デバイス。
【請求項２２】
前記第３の導電部材が前記コア部材に電気的に結合されている、請求項２０に記載の血管内デバイス。
【請求項２３】
複数の導体及びコア部材の周囲に配置されている第１の管状部材であって、前記複数の導体及び前記コア部材が少なくとも部分的に前記第１の管状部材の内腔内に配置されるように配置されている、第１の管状部材と、
前記第１の管状部材と第２の管状部材との間に第１の開口部が画定されるように、前記第１の管状部材に隣接するが当該第１の管状部材から間隔をあけて配置されている、第２の管状部材と、
前記第１の管状部材の少なくとも一部及び前記第２の管状部材の少なくとも一部の周囲に配置されている第１の導電部材であって、前記複数の導体のうちの第１の導体が、前記第１の導電部材に電気的に結合され、前記第１の管状部材の前記内腔から、前記第１の開口部内の、前記第２の管状部材と前記第１の導電部材との間において、前記第１の導電部材の端部に隣接する位置へと長手方向に延在する、第１の導電部材と、
を含む、血管内デバイス。
【請求項２４】
前記第１の開口部が前記第１の導電部材の中点又は当該中点の近傍に配置されている、請求項２３に記載の血管内デバイス。